(57)【要約】    【課題】    立位及び座位の何れの体位においても快適な装着性及び優れたズレ落ち防止性能が得られる使い捨ておむつを提供すること。    【解決手段】  背側領域側のウエスト端縁から股下領域の最小幅部位までの長さＬｂと、腹側領域側のウエスト端縁から股下領域の最小幅部位までの長さＬａとの比（Ｌｂ／Ｌａ）が１．４〜２．０であり、後身頃Ｇに、それぞれ複数本の弾性部材からなる一対のヒップ弾性部材６３が、おむつ幅方向外側の一端部が背側領域に位置し且つおむつ幅方向中央側の他端部が股下領域に位置するように配されており、各ヒップ弾性部材を構成する弾性部材間の間隔がおむつ幅方向外側よりも中央側において大きく、各ヒップ弾性部材６３は、おむつ幅方向に沿って配された胴回り弾性部材７１Ｂ及び／又は７１Ｃと交差している。【選択図】    図２
2005168833.tif 000002
【特許請求の範囲】
【請求項１】
液透過性の表面シート、液不透過性の裏面シート及びこれら両シート間に配置された液保持性の吸収体を備え、腹側領域、背側領域及びこれらの間に位置する股下領域を有している使い捨ておむつにおいて、
前記背側領域側のウエスト端縁から前記股下領域の幅が最小値を示す部位までの股下最小幅に位置する部分長さ（ＢＬｂ)と、前記腹側領域側のウエスト端縁から前記股下最小幅に位置する部分股下領域の幅が最小値を示す部位までの長さ（ＡＬａ)との比（（Ｂ/Ａ）Ｌｂ／Ｌａ）が１．４〜２．０であり、
使い捨ておむつを、幅方向中央線を境にして前身頃と後身頃に区分したときの後身頃に、それぞれ複数本の弾性部材からなる一対のヒップ弾性部材が、それぞれ、おむつ幅方向外側の一端部が前記ヒップまわり背側領域に位置し且つおむつ幅方向中央側の他端部が前記股下領域に位置するように配されており、
脚周りに配される左右のレッグ部における少なくとも後身頃に位置する部分に、レッグギャザー形成用のレッグ弾性部材が配されており、
前記各ヒップ弾性部材を構成する弾性部材は、相隣接する少なくとも一組の弾性部材間の間隔が前記一端部におけるよりも前記他端部において大きくなるように配されており、
前記各ヒップ弾性部材を構成する弾性部材の全部又は一部が、前記背側領域及び／又は前記股下領域において、おむつ幅方向に沿って配された胴回り弾性部材と交差しており、且つ
前記両ヒップ弾性部材それぞれの前記おむつ幅方向中央側の前記他端部同士が互いに離間している使い捨ておむつ。
【請求項２】
前記胴回り弾性部材と交差する前記弾性部材は、該胴回り弾性部材とのなす角度が１５〜７５°である請求項１記載の使い捨ておむつ。
【請求項３】
前記ヒップ弾性部材の一部が、前記吸収体に固定されている請求項１又は２記載の使い捨ておむつ。
【請求項４】
前記ヒップ弾性部材が前記吸収体に固定されている部位が、前記背側領域側のウエスト端縁からの距離が前記長さＬｂの２分の１以下の領域内に存在する請求項１〜３の何れか記載の使い捨ておむつ。
【請求項５】
前記腹側領域及び前記背側領域の両側縁部同士が予め接合されて一対のサイド接合部が形成されており、前記各ヒップ弾性部材は、おむつ幅方向外側の一端部が該サイド接合部に固定されており、前記両ヒップ弾性部材は、おむつ幅方向中央側の端部同士の離間距離が、おむつ全幅の１／５〜３／５である請求項１〜４の何れか記載の使い捨ておむつ。
【発明の詳細な説明】
【技術分野】
【０００１】
本発明は、立位及び座位の何れの体位においても快適な装着性及び優れたズレ落ち防止性能が得られる使い捨ておむつに関する。
【背景技術】
【０００２】
従来の使い捨ておむつとして、立位時の体形に合わせて設計したものと、着座時の体形に合わせて設計したものとがある。
しかし、立位時の体形に合わせて設計したものは、着座時に、背中側の部分がズレ落ち易く、また、着座時の体形に合わせて設計したものは、立位時に、背中側の部分に弛みが生じ、装着感や防漏性能の低下を招き易いという問題がある。
特に、背中側の部分のズレ落ちは、成人、特に高齢者の場合に顕著であった。
【０００３】
特開平１０−１２７６８７には、着用者の背側に配される後身頃に、後身頃持ち上げ弾性伸縮部材を設けたパンツ型の使い捨ておむつが記載されているが、このおむつにおいては、後身頃持ち上げ弾性伸縮部材を配置したことにより、かえって着座時に、背中側の部分のズレ落ちを誘発しやすくなっている。また、後身頃持ち上げ弾性伸縮部材をおむつ幅方向の全幅に連続して配してあるため、着座時に、吸収体が幅方向にヨレ易く座面にシワが発生し易くなり、それにより、履き心地や防漏性能が低下する。
【０００４】
【特許文献１】特開平１０−１２７６８７
【発明の開示】
【発明が解決しようとする課題】
【０００５】
従って、本発明の目的は、立位及び座位の何れの体位においても快適な装着性及び優れたズレ落ち防止性能が得られる使い捨ておむつを提供することにある。
【課題を解決するための手段】
【０００６】
本発明は、液透過性の表面シート、液不透過性の裏面シート及びこれら両シート間に配置された液保持性の吸収体を備え、腹側領域、背側領域及びこれらの間に位置する股下領域を有している使い捨ておむつにおいて、前記背側領域側のウエスト端縁から前記股下領域の幅が最小値を示す部位までの長さＬｂと、前記腹側領域側のウエスト端縁から前記股下領域の幅が最小値を示す部位までの長さＬａとの比（Ｌｂ／Ｌａ）が１．４〜２．０であり、使い捨ておむつを、幅方向中央線を境にして前身頃と後身頃に区分したときの後身頃に、それぞれ複数本の弾性部材からなる一対のヒップ弾性部材が、それぞれ、おむつ幅方向外側の一端部が前記背側領域に位置し且つおむつ幅方向中央側の他端部が前記股下領域に位置するように配されており、脚周りに配される左右のレッグ部における少なくとも後身頃に位置する部分に、レッグギャザー形成用のレッグ弾性部材が配されており、前記各ヒップ弾性部材を構成する弾性部材は、相隣接する少なくとも一組の弾性部材間の間隔が前記一端部におけるよりも前記他端部において大きくなるように配されており、前記各ヒップ弾性部材を構成する弾性部材の全部又は一部が、前記背側領域及び／又は前記股下領域において、おむつ幅方向に沿って配された胴回り弾性部材と交差しており、且つ前記両ヒップ弾性部材それぞれの前記おむつ幅方向中央側の前記他端部同士が互いに離間している使い捨ておむつを提供することにより前記目的を達成したものである。
【発明の効果】
【０００７】
本発明の使い捨ておむつは、立位及び座位の何れの体位においても快適な装着性及び優れたズレ落ち防止性能が得られるものである。
【発明を実施するための最良の形態】
【０００８】
以下、本発明をその好ましい実施形態に基づいて説明する。
図１〜３に示す使い捨ておむつ１は、成人用のパンツ型おむつであり、液透過性の表面シート２、液不透過性の裏面シート３及び液保持性の吸収体４を備え、着用時に着用者の腹側に配される腹側領域Ａ、背側に配される背側領域Ｂ及びこれらの間に位置する股下領域Ｃを有し、腹側領域Ａの両側縁部Ａ１，Ａ１と背側領域Ｂの両側縁部Ｂ１，Ｂ１とがヒートシール、高周波シール、超音波シール等の公知の接合手段により接合されて、一対のサイド接合部２３，２３、ウエスト開口部５及び一対のレッグ開口部６，６が形成されている。
【０００９】
おむつ１は、図２及び図３に示すように、吸収性本体１０と、該吸収性本体１０の外面（着用者とは反対側に向けられる面）側に位置して該吸収性本体１０を固定している外装体２０とからなる。吸収性本体１０は、縦長矩形状をなしており、表面シート２、裏面シート３及び吸収体４を具備する。吸収体４は、長手方向中央部が括れた砂時計状をなし、表面シート２及び裏面シート３間に挟持固定されている。吸収性本体１０の長手方向の左右両側には、一対の立体ガード７が形成されている。吸収性本体１０は、その長手方向を、展開状態（図２に示す状態）におけるおむつ長手方向に一致させ、外装体２０の中央部に公知の接合手段により接合されている。
【００１０】
外装体２０は、図３に示すように、おむつの外表面（着用者とは反対側に向けられる面）を形成している外層シート２１と、該外層シート２１に隣接してその内側に積層接着された内層シート２２とを具備し、これら両シート間に、後述する各部の弾性部材５１、６１、６２、６３、７１Ｂ、７１Ｃが、ホットメルト型接着剤等の接着剤を用いて伸張状態で固定されている。
【００１１】
本使い捨ておむつ１においては、腹側領域Ａ及び背側領域Ｂそれぞれにおけるウエスト部Ｄに、それぞれ複数本のウエスト弾性部材５１が、それぞれおむつ幅方向に沿って配されている。これらのウエスト弾性部材５１により、ウエスト開口部５の開口周縁部に、実質的にその全周に亘るウエストギャザーが形成されている。
【００１２】
ウエスト部Ｄとは、腹側領域Ａ及び背側領域Ｂそれぞれにおけるウエスト端縁５０Ａ，５０Ｂから股下領域Ｃ方向に５０ｍｍまでの領域であり、後述する胴回り領域Ｅとは、腹側領域Ａ及び背側領域Ｂそれぞれにおける、前記ウエスト部Ｄよりも更に股下領域Ｃ方向に位置する領域である。
【００１３】
また、腹側領域Ａ及び背側領域Ｂそれぞれにおける胴回り部Ｅには、それぞれ複数本の胴回り弾性部材７１Ｂが、それぞれおむつ幅方向に沿って配されている。また、股下領域Ｃにおける胴回り部Ｅに近い部位にも、胴回り弾性部材７１Ｃが、それぞれ、おむつ幅方向に沿って配されている。
胴回り弾性部材７１Ｂは、おむつ幅方向の左右に分割されているものと、幅方向の左右で連続したものとがあり、吸収体４の長手方向の両端縁それぞれより股下領域Ｃ側に配されている胴回り弾性部材７１Ｂ，７１Ｃは、おむつ幅方向の左右に分割されている。
【００１４】
本実施形態のおむつ１は、背側領域Ｂ側のウエスト端縁５０Ｂから、股下領域Ｃの幅Ｗが最小値Ｗ１を示す部位までの長さＬｂ〔図２（ｂ）参照〕と、腹側領域Ａ側のウエスト端縁５０Ａから、股下領域Ｃの幅が最小値Ｗ１を示す部位までの長さＬａ〔図２（ｂ）参照〕との比（Ｌｂ／Ｌａ）が１．４〜２．０であり、１．６〜２．０であることがより好ましい。
【００１５】
前記比（Ｌｂ／Ｌａ）が１．４未満であると、着座時に、背中側のズレが発生しやすくなる。特に腰が曲った高齢者の場合に大きなズレが生じやすい。このようなズレは、後述するヒップ弾性部材を配設すると特に促進されるため、前記比（Ｌｂ／Ｌａ）が１．４未満の場合にはヒップ弾性部材の配設が困難となる。他方、前記比（Ｌｂ/Ｌａ）が２．０超であると、立位時に、背中側にだぶつきが生じ、装着感が低下したり、防漏性能が低下しやすくなる。前記比（Ｌｂ／Ｌａ）が１．６〜２．０の範囲であると、座位時におむつがより身体にきれいにフィットする。
【００１６】
本明細書に記載の各部の寸法は、おむつの展開且つ伸長状態において測定する。ここで、展開且つ伸長状態とは、サイドシール部を引き剥がして、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
尚、股下領域Ｃの幅Ｗがおむつ長手方向の所定の範囲に亘って同じであり、その幅が最小値Ｗ１である場合、その所定の範囲の長手方向中央部を、股下領域Ｃの幅Ｗが最小値Ｗ１を示す部位とする。
【００１７】
股下領域Ｃの幅Ｗが最小値Ｗ１を示す部位と、おむつ長手方向全長を２等分するおむつ幅方向中央線ＣＬとの離間距離Ｌ１〔図２（ｂ）参照〕は３５〜１４０ｍｍ、特に５０〜８０ｍｍであることが好ましい。
【００１８】
また、本実施形態のおむつ１には、おむつ１を、幅方向中央線ＣＬ（おむつ全長を２等分する中央線，図２（ｂ）参照）を境にして前身頃Ｆと後身頃Ｇに区分したときの後身頃Ｇに、それぞれ複数本の弾性部材６３ａ〜６３ｃからなる一対のヒップ弾性部材６３，６３が、それぞれ、おむつ幅方向外側の一端部６４が背側領域Ｂに位置し且つおむつ幅方向中央側の他端部６５が股下領域Ｃに位置するように配されている。一対のヒップ弾性部材６３，６３は、左右両側に分割（分離）された状態で配されている。即ち、両ヒップ弾性部材６３，６３それぞれの前記他端部６５，６５同士は互いに離間している。
【００１９】
各ヒップ弾性部材６３を構成する弾性部材６３ａ〜６３ｃは、相隣接する一組の弾性部材６３ａ，６３ｂ間の間隔及び相隣接する他の一組の弾性部材６３ｂ，６３ｃ間の間隔が、それぞれ、該ヒップ弾性部材のおむつ幅方向外側の一端部６４におけるよりも該ヒップ弾性部材のおむつ幅方向中央側の他端部６５において大きくなるように配されている。このように、ヒップ弾性部材６３が、それぞれ３本以上の弾性部材で構成されている場合、相隣接する総ての弾性部材間の間隔が、それぞれおむつの幅方向外側よりもおむつ幅方向中央側において大きくなされていることが好ましい。本実施形態のおむつ１においては、相隣接する弾性部材間の間隔は一端部６４から他端部６５に向かって漸次増大している。また、弾性部材６３ｂは、弾性部材６３ａとの間の間隔と弾性部材６３ｃとの間の間隔とが等しくなるように配されている。
【００２０】
各ヒップ弾性部材６３を構成する弾性部材６３ａ〜６３ｃは、その全部又は一部が、背側領域Ｂ及び／又は股下領域Ｃにおいて、おむつ幅方向に沿って配された胴回り弾性部材と交差している。本実施形態のおむつ１においては、弾性部材６３ａ〜６３ｃのうちの、弾性部材６３ａ及び６３ｂは、それぞれ背側領域Ｂ及び股下領域Ｃにおいて胴回り弾性部材７１Ｂ及び７１Ｃと交差しており、弾性部材６３ｃは、股下領域Ｃにおいて胴回り弾性部材７１Ｃと交差している。
弾性部材６３ａ〜６３ｃが交差している胴回り弾性部材は、おむつ幅方向の左右に分割されているタイプの胴回り弾性部材７１Ｂ，７１Ｃである。
【００２１】
胴回り弾性部材と、ヒップ弾性部材を構成する弾性部材との交差部２４においては、一方の弾性部材の収縮が他方の収縮に連動して収縮するようになされていることが、歩行時等の活発な活動時においてもフィット性を良好に維持できるので好ましい。連動して収縮する構成としては、弾性部材同士が互いに接合されていることが好ましい。ここでいう接合には、弾性部材が直接接合されている場合の他に、おむつを構成している複数のシートのうちの１又は複数枚を介在させた状態で両者が一体化されている場合を含む。接合は、接着剤を用いた接合等の公知の接合方法を用いることができる。
【００２２】
後身頃Ｇに、ヒップ弾性部材６３を、それを構成する弾性部材６３ａ〜６３ｃの全部又は一部（好ましくは全部）と胴回り弾性部材７１Ｂ，７１Ｃとが交差するように配設することで、２軸の収縮力、即ち、おむつの長手方向及び幅方向それぞれに伸縮性が発現し、立位から座位への動作により生じる、臀部から腰部にかけての上下左右の体形変化におむつの形状が追随できるようになる（ヒップ弾性部材と胴回り弾性部材の協動効果）。
【００２３】
また、ヒップ弾性部材６３を構成する弾性部材の間隔が、おむつ幅方向外側の一端部６４におけるよりも幅方向中央側の他端部６５において大きくなるように配することにより、幅方向中央側の他端部６５では、異なる方向を持つ複数の収縮力が長手方向に広範囲に渡って形成されることになり、個人差の大きい様々なヒップ形状にも追随できるようになる。他方、おむつ幅方向外側の一端部６４では、複数の弾性部材が近接して配置されることで単位面積当りの収縮力が高まり、ズレ落ちを効果的に防止することができる。
【００２４】
おむつ幅方向外側の一端部６４における、相隣接する弾性部材間の間隔Ｐ１は３〜１５ｍｍが好ましく、５〜１０ｍｍがより好ましい。
おむつ幅方向中央側の他端部６５における、相隣接する弾性部材間の間隔Ｐ２は１０〜３０ｍｍが好ましく、１５〜２５ｍｍがより好ましい。
おおむつ幅方向外側の端部６４の間隔Ｐ１に対するおむつ幅方向中央側の端部６５における間隔Ｐ２の比（Ｐ２／Ｐ１）は２．０〜５．０が好ましく、２．５〜４．０がより好ましい。
【００２５】
本実施形態におけるように、各ヒップ弾性部材６３が３本以上の弾性部材によって構成されている場合、相隣接する少なくとも何れか一組の弾性部材が、上述した間隔Ｐ１、間隔Ｐ２及び／又は両者の比（Ｐ２／Ｐ１）の条件を満たすことが好ましく、相隣接する総ての組の弾性部材が、そのような条件を満たすことがより好ましい。
尚、弾性部材間の間隔とは、相隣接する何れか一方の弾性部材の一端部（又は他端部）から相隣接する他方の弾性部材に向かって延ばした垂線の長さをいう。
【００２６】
前記比（Ｌｂ／Ｌａ）を上述した特定の範囲にすることで、座位における装着感を向上させ得るが、それだけでは、立位時に臀部から腰部に弛みが生じ、装着感の低下や防漏性の低下を招く恐れがある。しかし、このヒップ弾性部材６３と胴回り弾性部材７１Ｂ，７１Ｃの協動による弛み解消効果により、立位時の弛みの問題を解消することができ、立位においても、座位時と同様に優れた装着性及び防漏効果が得られる。
【００２７】
尚、着用者の腹側では、立位と座位で、おむつ長手方向に対応する方向の体形変化が少ないため、前身頃Ｆには、２軸の収縮力は特に必要ない。但し、吸収体４を着用者に密着させる目的で、腹側領域Ａの胴回り部Ｅ及び股下領域Ｃにおける該胴回り部Ｅに近い部位に、おむつ幅方向に沿う胴回り弾性部材が配されていることが好ましい。
【００２８】
図１及び図２に示すように、おむつ１における、一対のヒップ弾性部材６３，６３それぞれのおむつ幅方向中央側の端部６５，６５同士は互いに離間しているが、かかる構成により、吸収体４のシワに起因する装着性の低下、肌トラブルの誘発及び吸収体の幅縮みによる防漏効果の低減を防止することができる。
【００２９】
本実施形態のおむつ１においては、脚周りに配される左右のレッグ部６０に、第１及び第２の弾性部材６１，６２からなるレッグ弾性部材が配されており、これらのレッグ弾性部材により、レッグ開口部６それぞれの開口周縁部に、実質的にその全周に亘って実質的に連続するレッグギャザーが形成されている。
ヒップ弾性部材６３（又はそれを構成する弾性部材）は、このようなレッグギャザー形成用のレッグ弾性部材とは別に設けられたものであり、ヒップ弾性部材６３は、レッグ弾性部材の配置位置よりもおむつ幅方向中央側（おむつの長手方向に延びる長手方向中央線寄りの位置）に配されている。
【００３０】
本実施形態のおむつ１におけるレッグ弾性部材は、前身頃に位置する部分及び後身頃に位置する部分の両部分に亘って配されているが、後身頃に位置する部分にのみ配されていても良い。例えば、第２の弾性部材６２を配さない以外は、図１〜図３に示すおむつと同様の構成を有する使い捨ておむつも、好ましい実施形態の一つである。
【００３１】
ヒップ弾性部材６３と後身頃Ｇに配されたレッグ弾性部材とは、おむつ幅方向外方側よりもおむつ幅方向中央において大きく離間している。また、本実施形態におけるレッグ弾性部材６１のおむつ幅方向中央側の端部は、前身頃Ｆに存在するが、ヒップ弾性部材６３のおむつ幅方向中央側の端部６５は、後身頃Ｇに存在する。
【００３２】
ヒップ弾性部材６３を構成する弾性部材６３ａ〜６３ｃのうち、背側領域Ｂに配された胴回り弾性部材７１Ｂと交差する弾性部材６３ａ〜６３ｃは、少なくともその何れか、好ましくはその総てが、胴回り弾性部材７１Ｂとのなす角度が１５〜７５°、特に１５〜４５°であることが、立位及び座位における装着性（特にフィット性）向上の観点から好ましい。ヒップ弾性部材を構成する弾性部材が複数本の胴回り弾性部材７１Ｂと交差している場合、そのうちの一本とのなす角度が上記範囲であれば良いが、総ての弾性部材７１Ｂとのなす角度が上記範囲であることがより好ましい。
【００３３】
ヒップ弾性部材６３を構成する弾性部材６３ａ〜６３ｃのうち、股下領域Ａに配された胴回り弾性部材７１Ｃと交差する弾性部材６３ａ，６３ｂは、少なくともその何れか、好ましくはその総てが、胴回り弾性部材７１Ｃとのなす角度が１５〜７５°、特に１５〜４５°であることが、立位及び座位における装着性（特にフィット性）向上の観点から好ましい。ヒップ弾性部材を構成する弾性部材が複数本の胴回り弾性部材７１Ｃと交差している場合、そのうちの一本とのなす角度が上記範囲であれば良いが、総ての弾性部材７１Ｃとのなす角度が上記範囲であることがより好ましい。
【００３４】
背側領域及び／又は股下領域に配された胴回り弾性部材とのなす角度を１５°以上とすることで、臀部から腰部にかけての体の縦方向の伸びに対する追従性の低下を防止でき、７５°以下とすることで、両弾性部材の連動性が失われて協働による追従性が低下することを防止することができる。
前記なす角度は、２つの弾性部材が互いに交差することによって、平面視上形成される２種類の角度のうちの小さい方の角度を意味する。弾性部材が湾曲している部位では、湾曲している弾性部材の接線を用いて上記の角度を測定する。
【００３５】
ヒップ弾性部材６３は、その一部が、吸収体４に固定されていることが好ましく、特に、ヒップ弾性部材６３が吸収体４に固定されている部位が、背側領域Ｂ側のウエスト端縁５０Ｂからの距離が前記長さＬｂの２分の１以下となる領域Ｈ内に存在することが好ましい。かかる構成により、立位時の臀部から腰部にかけての弛みを大幅に低減させることができ、装着性及び防漏性能を一層向上させることができる。
ここでいう固定には、弾性部材が接着剤やヒートシール等の公知の接合手段により直接吸収体４に接合されている場合の他に、おむつを構成している複数のシートのうちの１又は複数枚を介在させた状態で両者が一体化されている場合を含む。
本実施形態のおむつ１においては、ヒップ弾性部材６３のおむつ幅方向中央側の端部６３ｂが、吸収体４と重なっており、該部位において、吸収体４に固定されている。
【００３６】
本実施形態のおむつ１における各ヒップ弾性部材６３は、おむつ幅方向外側の一端部６４が前記サイド接合部２３に固定されており、両ヒップ弾性部材６３のおむつ幅方向中央側の端部６５同士の離間距離Ｗ２が、おむつ全幅Ｗ３の１／５〜３／５である。
立位及び座位、更には活動時においても位置変化が少ない両脇部分に、一端部６３ａを固定することで、立位時の臀部の弛みを効果的に解消でき、臀部のフィット性を一層確実に向上させることができる。両端部に自由度を与えるのは、収縮方向が不安定になるため、フィット性向上効果を低下させるので好ましくない。
【００３７】
立位持の臀部の弛み解消効果が向上することにより、前記離間距離Ｗ２の製品全幅Ｗ３に対する割合を大きくすることができる。特に、前記離間距離Ｗ２を、おむつ全幅Ｗ３の１／５〜３／５としたときの、ヒップ弾性部材が存在しない範囲は、着座時に座面に接する部分であり、この領域の幅方向の収縮をなくすことは、吸収体のシワによる装着性の低下、肌トラブルの誘発及び吸収体の幅縮みによる防漏効果の低下を防止する観点から、特に好ましい。前記離間距離Ｗ２を、おむつ全幅Ｗ３の１／５以上とすることで、吸収体のシワによる装着性の低下を確実に防止でき、おむつ全幅Ｗ３の３／５以下とすることで、弛みの解消効果を確実に発揮させることができる。
【００３８】
本実施形態のおむつにおいては、弾性部材５１，６１，６２，６３，７１Ｂ，７１Ｃが、左右に分割配置されており、何れの弾性部材５１，６１，６２，６３，７１Ｂ，７１Ｃも、吸収体４の少なくとも幅方向中央部においては弾性伸縮性を発現していない。本発明のおむつは、吸収体４の幅方向中央部には、該吸収体４の長手方向の全長にわたって弾性部材が配されていないことが好ましい。
【００３９】
上述した各実施形態の使い捨ておむつにおける各部の形成材料について説明する。表面シート２、裏面シート３、吸収体４、立体ガード７、外層シート２１及び内層シート２２等の形成材料としては、従来の使い捨ておむつ等において用いられている各種の材料を用いることができる。前記弾性部材５１，６１，６２，６３，７１Ｂ，７１Ｃの形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプの糸状のもの等を用いられる。
【００４０】
以上、本発明の好ましい実施形態について説明したが、本発明は、上述した実施形態に制限されない。例えば、股下領域の胴回り弾性部材は配されていることが好ましいが省略することもできる。ヒップ弾性部材を構成する弾性部材は、少なくとも背側領域に配された胴回り弾性部材と交差していることが好ましく、股下領域に配された胴回り弾性部材とも交差していることがより好ましい。
【実施例】
【００４１】
＜実施例１〜２＞
上述した実施形態のおむつ１と同様の構成を有するおむつを製造した。製造した各実施例のおむつについて、前記比（Ｌｂ／Ｌａ）、各ヒップ弾性部材を構成する弾性部材の本数、それらの弾性部材と胴回り弾性部材７１Ｂとのなす角度θ１、ヒップ弾性部材を構成する弾性部材と胴回り弾性部材７１Ｃとのなす角度θ２、ヒップ弾性部材同士の離間距離Ｗ２等を測定して表１に示した。
【００４２】
＜比較例１〜５＞
各部の構成や寸法等を表１に示すように変更した使い捨ておむつを製造した。
また、市販の使い捨ておむつを２種類用意した。
【００４３】
＜性能評価＞
実施例及び比較例の使い捨ておむつについて、装着感及びズレ落ち防止性をそれぞれ下記の方法で評価した。２種類の市販品についても同様に評価した。結果を表１に示した。
１）ヒップ部の装着感
高齢者２０名に、実施例及び比較例の各おむつを２日間装着してもらい、以下の基準で装着感を評価してもらった。表１には、「ヒップ部に違和感がなく快適」と回答した人数を立位・座位それぞれについて示した。
（評価基準）
○；ヒップ部に違和感がなく快適
△；どちらともいえない
×；ヒップ部に違和感があり不快
【００４４】
２）背中ズレ落ち防止性
高齢者２０名に、実施例及び比較例の各おむつを２日間装着してもらい、以下の基準で装着感を評価してもらった。表１には、「ズレ落ちは無かった」と回答した人数について示した。
（評価基準）
○；ズレ落ちは無かった
×；ズレ落ちが有った
【００４５】
【表１】
2005168833.tif 000003
【図面の簡単な説明】
【００４６】
【図１】図１は、本発明の一実施形態としての使い捨ておむつの後身頃側を示す斜視図である。
【図２】図２は、図1の使い捨ておむつの展開且つ伸張状態を示す平面図であり、図２（ａ）は、外装体上に吸収性本体が固定されている状態、図２（ｂ）は、吸収性本体を取り除いた状態を示す図である。
【図３】図３は、図２に示す使い捨ておむつの幅方向の断面図であり、図３（ａ）は図２のＸ−Ｘ断面、図３（ｂ）は図２のＹ−Ｙ断面、図３（ｃ）はおむつ着用状態における図２のＸ−Ｘ断面をそれぞれ模式的に示す図である。
【符号の説明】
【００４７】
１    使い捨ておむつ
２    表面シート
３    裏面シート
４    吸収体
５    ウエスト開口部
６    レッグ開口部
１０  吸収性本体
２０  外装体
２４  ヒップ弾性部材を構成する弾性部材と胴回り弾性部材の交差部
６３  ヒップ弾性部材
６３ａ〜６３ｃ  ヒップ弾性部材を構成する弾性部材
７１Ｂ  背側領域に配された胴回り弾性部材
７１Ｃ  股下領域に配された胴回り弾性部材
Ａ    腹側領域
Ｂ    背側領域
Ｃ    股下領域
【図１】
2005168833.tif 000004
【図２】
2005168833.tif 000005
【図３】
2005168833.tif 000006
【手続補正書】
【提出日】平成16年3月8日(2004.3.8)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート及びこれら両シート間に配置された液保持性の吸収体を備え、腹側領域、背側領域及びこれらの間に位置する股下領域を有している使い捨ておむつにおいて、
前記背側領域側のウエスト端縁から前記股下領域の幅が最小値を示す部位までの長さＬｂと、前記腹側領域側のウエスト端縁から前記股下領域の幅が最小値を示す部位までの長さＬａとの比（Ｌｂ／Ｌａ）が１．４〜２．０であり、
使い捨ておむつを、幅方向中央線を境にして前身頃と後身頃に区分したときの後身頃に、それぞれ複数本の弾性部材からなる一対のヒップ弾性部材が、それぞれ、おむつ幅方向外側の一端部が前記背側領域に位置し且つおむつ幅方向中央側の他端部が前記股下領域に位置するように配されており、
脚周りに配される左右のレッグ部における少なくとも後身頃に位置する部分に、レッグギャザー形成用のレッグ弾性部材が配されており、
前記各ヒップ弾性部材を構成する弾性部材は、相隣接する少なくとも一組の弾性部材間の間隔が前記一端部におけるよりも前記他端部において大きくなるように配されており、
前記各ヒップ弾性部材を構成する弾性部材の全部又は一部が、前記背側領域及び／又は前記股下領域において、おむつ幅方向に沿って配された胴回り弾性部材と交差しており、且つ
前記両ヒップ弾性部材それぞれの前記おむつ幅方向中央側の前記他端部同士が互いに離間している使い捨ておむつ。
【請求項２】
前記胴回り弾性部材と交差する前記弾性部材は、該胴回り弾性部材とのなす角度が１５〜７５°である請求項１記載の使い捨ておむつ。
【請求項３】
前記ヒップ弾性部材の一部が、前記吸収体に固定されている請求項１又は２記載の使い捨ておむつ。
【請求項４】
前記ヒップ弾性部材が前記吸収体に固定されている部位が、前記背側領域側のウエスト端縁からの距離が前記長さＬｂの２分の１以下の領域内に存在する請求項１〜３の何れか記載の使い捨ておむつ。
【請求項５】
前記腹側領域及び前記背側領域の両側縁部同士が予め接合されて一対のサイド接合部が形成されており、前記各ヒップ弾性部材は、おむつ幅方向外側の一端部が該サイド接合部に固定されており、前記両ヒップ弾性部材は、おむつ幅方向中央側の端部同士の離間距離が、おむつ全幅の１／５〜３／５である請求項１〜４の何れか記載の使い捨ておむつ。